(57)【要約】【課題】送風筒を有する送風機を、装飾置物の中に上向きに収蔵し、天井に向けた送風筒からの、脱臭剤と共に清浄にした室内空気の送風流を天井に到達せしめ、これを下方に還流循環せしめて、冷暖房された空気を上下温度差のない均一な室内空気とする。【解決手段】装飾置物は、基台（１）に載置される角筒状の木材，プラスチック等材質を問わない格子枠（２）とし、当該格子枠（２）は、上枠（２ａ）と下枠（２ｂ）に連結して、内部に、送風筒（３）を有し送風機（５）を保持した送風機枠（４）を、下方に空間の吸気口（６）を形成するよう支持し、送風機枠（４）には、吸気口（６）内に位置して底面と周囲壁を棕櫚等のろ過材で構成した空気清浄函（７）を着脱自在に懸架した構造とした。【選択図】  図１
0003115018.tif 000002
【実用新案登録請求の範囲】
【請求項１】
送風筒を有する送風機を、装飾置物の中に上向きに収蔵し、天井に向けた送風筒からの、脱臭剤と共に清浄にした室内空気の送風流を天井に到達せしめ、これを下方に還流循環せしめて、冷暖房された空気を上下温度差のない均一な室内空気とするものとし、装飾置物の構成を、基台（１）に載置される角筒状の木材，プラスチック等材質を問わない格子枠（２）とし、当該格子枠（２）は、上枠（２ａ）と下枠（２ｂ）との間に連結して、送風筒（３）を有し送風機（５）を保持した送風機枠（４）を、下方に空間の吸気口（６）を形成するよう内部に支持し、送風機枠（４）には、吸気口（６）内に位置して底面と周囲壁を棕櫚等のろ過材で構成した空気清浄函（７）を着脱自在に懸架したインテリヤ置物を兼ねた上向きの室内空気還流機の構造。
【考案の詳細な説明】
【技術分野】
【０００１】  本考案は、送風筒を有する送風機を、装飾置物の中に上向きに収蔵し、冷暖房された室内温度を均一化するインテリヤ置物を兼ねた上向きの室内空気還流機に関する。
【背景技術】
【０００２】  例えば暖房時に、上昇して天井付近に滞留する温暖空気と床面付近の低温空気との室内の温度むらをなくすため、従来は、天井の数個所に送風機を下向きに設置して、天井付近の温暖空気を吸気して床面に向けて送風し、室内空気を還流する室内空気の均一方法が提案されている。（例えば、特許文献１を参照）
【特許文献１】特許第３０３２８８６号公報
【考案の開示】
【考案が解決しようとする課題】
【０００３】  特許文献１のものは、モーターにより羽根車が回転する送風機の、吸気側の周囲から吸い込んだ天井付近の温暖空気を、送風筒により下方に向けて送り出し、その送風圧によって床面まで到達させ、これを上昇気流に変えて室内空気を還流循環せしめるものである。【０００４】  送風機は、吸気側の吸気口を必要とし、天井面か天井面裏に形作る空間部にすき間を保って取り付けることになり、モーターの電気配線も含めた天井面の工作と取り付け工事を伴い、手間と費用がかかり、一旦設置すると局部的に冷房又は暖房される領域が偏在しても、これを解消するための容易な移設は困難である。【０００５】  しかも美麗に仕上げた室内天井を傷つけたり、天井の数か所に異物が突設されることになり、見栄えが悪く、室内インテリヤの観点からも問題点が多かった。
【課題を解決するための手段】
【０００６】  本考案は、冷暖房された室内温度を均一化する送風筒を有する室内空気還流機を、室内インテリヤを兼ねた床面の装飾置物の中に上向きに設置出来るもので、工事を伴わなず天井を傷つけることもなく、同時に、脱臭剤等を吸気口に保持しやすくして室内空気の清浄効果をも高めたものである。【０００７】  即ち、上方垂直に流れを作るもので、装飾を兼ねて床面のいかなる場所にも自由に単に置くだけでよい。【０００８】  本考案は、脱臭，抗菌，浮遊塵埃除去等によりクリーンな空気を送り出して還流させ、室内空気を清浄にすることはもとより、芳香剤等を併用することにより、いやしの空間を現出することが出来る。
【考案の効果】
【０００９】  本考案は、送風筒を有する室内空気還流機を、室内インテリヤを兼ねた床面の装飾置物の中に上向きに設置したものであるから、送風機を内蔵した装飾置物は、室内インテリヤとして違和感がなく部屋のレイアウトに溶け込む効果あり、工事なしに床面に設置できて、上方に向けた送風の冷暖房された空気還流が室内温度を均一化する効果がある。【００１０】  又、脱臭剤等を吸気口に保持して空気清浄効果を高め、脱臭，抗菌，浮遊塵埃除去等によりクリーンな空気を送り出して還流させ、室内空気を清浄にする効果はもとより、芳香剤等を併用することにより、いやしの空間を現出することが出来る効果がある。
【考案を実施するための最良の形態】
【００１１】  以下図面を参照して、本考案に係る室内空気還流機を説明する。図１は本考案の実施例を示す斜視図で、装飾置物を、基台（１）に載置される角筒状の木材，プラスチック等材質を問わない格子枠（２）とし、当該格子枠（２）は、上枠（２ａ）と下枠（２ｂ）との間に連結して、送風筒（３）を有し送風機（５）を保持した送風機枠（４）を、下方に空間の吸気口（６）を形成するよう内部に支持し、送風機枠（４）には、吸気口（６）内に位置して底面と周囲壁を棕櫚等のろ過材で構成した空気清浄函（７）を着脱自在に懸架した構造とした。【００１２】  格子枠（２）の形状は、縦格子に限らず、綾格子や透かし模様等その他種々のデザインで筒状に構成して、様々なインテリヤに対応した装飾置物とし、材質も、アルミ等の金属鋳物や陶器製，竹製，プラスチック製など木材に限るものではない。【００１３】  空気清浄函（７）は、棕櫚等のろ過材で構成してあるから、吸気口（６）から送風機（５）に吸い込まれる塵埃を含む室内空気は、麈埃がろ過材で濾過浄化されて送風筒（３）から清浄な空気として送り出されるが、ろ過材の繊維で搦め捕られて保持された塵埃等は、空気清浄函（７）を外して洗浄することが出来る。ろ過材は、椰子の繊維の外、化学繊維等種類を問わない。【００１４】  空気清浄函（７）には、脱臭剤や抗菌剤又は空気汚染物質分解触媒等を入れ替え自在として充填し、吸気口（６）から送風機（５）に吸い込まれる室内の汚染空気を積極的に浄化して室内に送り出すが、芳香剤とも入れ替えてマイナスイオン発生を加味したいやしの空間を現出することも出来る。別に芳香剤等を入れたろ過袋を収納しても良い。【００１５】  本考案は、送風筒を有する送風機を、装飾置物の中に上向きに収蔵し、天井に向けた送風筒からの、脱臭剤と共に清浄にした室内空気の送風流を天井に到達せしめ、これを下方に還流循環せしめて、冷暖房された空気を上下温度差のない均一な室内空気とするもので、送風機を内蔵した装飾置物は、室内インテリヤとして違和感がなく部屋のレイアウトに溶け込む効果あり、工事なしに床面に設置できて、上方に向けた送風の冷暖房された空気還流が室内温度を均一化する。【００１６】  本考案に於ては、室内の家具等の状態に制約されることなく送風機設置の位置決めが自在にしかも工事を伴わずに設置できて、室内空気の還流方向の位置を自在にして循環をせしめ、上下温度差の無い均一な室内空気温度とすることが出来、従来のように、床面に向けて天井に下向きに設置するため、きれいに仕上げた天井を工事のために工作損傷することもなく、又、応接間など調度品をレイアウトした室内の天井に見栄えの悪い異物的なものが突設垂下されることもない。【００１７】  天井から下向きに送風される場合、送風機真下の位置では風が気になり、冬は体感的に寒く感じる場合もあるが、本願では、上向きになる風が天井からの間接気流となるため殆ど風は気にならない。更には、床から天井への直進性送風流で出来る室内空気輪導が室内の温度むらを解消するが、床に設置する本願送風機は、一般に壁上部に取り付ける空調機器との位置関係の調整が容易であることから、空調機器の機能を効果的に活用促進することが出来ると共に、送風筒���方に噴霧された芳香剤等の粒子が、気流により拡散された自重で落下し、短時間で効果が促進される。【００１８】  本考案は、他の様々な室内機器との組み合わせ活用が可能であり、空調機器の機能活用で、冷暖房効果と省エネの促進の他、換気扇との組み合わせによる室内空気汚染低減の換気効果促進，空気清浄器と組み合わせて空気清浄促進，加湿器除湿器と組み合わせて加湿除湿効果促進，窓の結露低減，壁空気汚染物質分解光触媒の効果促進等に効果がある。
【図面の簡単な説明】
【００１９】
【図１】  本考案に係る全体の斜視図である。
【図２】  本考案に係る空気清浄函を掛合した空気還流機の側断面図である。
【符号の説明】
【００２０】  １  基台
２  格子枠
２ａ  上枠
２ｂ  下枠
３  送風筒
４  送風機枠
５  送風機
６  吸気口
７  空気清浄函
【図１】
0003115018.tif 000003
【図２】
0003115018.tif 000004